(57)【要約】物品販売提供するための装置であって、インターネット（１４）に接続されたサーバ（１）と、販売用に提供された物品向けのインターネットポータル（２）と、サーバ（１）に接続されるデータベース（３）と、サーバ（１）に接続された電子プロセッサ（４）と、ユーザ配置領域（６）を定める更衣室（５）と、更衣室（５）に設置され、プロセッサ（４）に接続されたモニタ（７）と、配置領域（６）の逆フレーム視野を有し、プロセッサ（４）と接続される少なくとも２つのウェブカム（８，９）と、更衣室（５）に設置され、プロセッサ（４）に接続された物品コードのリーダー（１０）と、モニタ（７）上に物品販売提供セッションを自動的に作動及び非作動する手段と、を備え、モニタ（７）は、更衣室（５）に存在するユーザから入力を受け付けるタッチスクリーン（１１）を有し、モニタ（７）は、更に、第１又は第２のウェブカム（８，９）によって取り込まれた画像をリアルタイムで選択的に表示する少なくともミラーモードと、販売用に提供された物品の少なくともディスプレイモードとを提示する。【選択図】図１
2019530989.tif 000002
【特許請求の範囲】
【請求項１】
物品販売提供するための装置であって、インターネット（１４）に接続されたサーバ（１）と、販売用に提供された物品向けのインターネットポータル（２）と、前記サーバ（１）に接続され、かつ前記ポータル（２）において販売用に提供された物品のコードが格納され、前記ポータル（２）において販売用に提供された前記コードに対する前記ポータル（２）のユーザの統計に少なくともアクセスするデータベース（３）と、前記サーバ（１）に接続された電子プロセッサ（４）と、ユーザ配置領域（６）を定める更衣室（５）と、前記更衣室（５）に設置され、前記プロセッサ（４）に接続されたモニタ（７）と、前記配置領域（６）の逆フレーム視野を有し、前記プロセッサ（４）と接続される少なくとも２つのウェブカム（８，９）と、前記更衣室（５）に設置され、前記プロセッサ（４）に接続された物品コードのリーダー（１０）と、前記モニタ（７）上に物品販売提供セッションを自動的に作動及び非作動する手段と、を備え、前記モニタ（７）は、前記更衣室（５）に存在する前記ユーザから入力を受け付けるタッチスクリーン（１１）を有し、前記モニタ（７）は、更に、第１又は第２のウェブカム（８，９）によって取り込まれた画像をリアルタイムで選択的に表示する少なくともミラーモードと、販売用に提供された物品の少なくともディスプレイモードとを提示することを特徴とする装置。
【請求項２】
前記プロセッサ（４）は、物品販売提供セッション中に、前記リーダー（１０）により物品コードの取得に従い前記タッチスクリーン（１１）上で前記ユーザによる入力を受け付けると、前記データベース（３）は、リアルタイムで自動的に問い合わせ、前記データベース（３）から、物品コードは、自動的に外挿され、前記統計において、取得した前記物品コードと同様の基準を有し、前記スクリーン（１１）上に、前記ディスプレイモードにおいて、外挿された物品コードに対応する物品は、販売提供向けに自動的に表示されるようにプログラムされることを特徴とする請求項１に記載の装置。
【請求項３】
物品販売提供をするためのセッションの前記自動的に作動及び非作動する手段は、前記更衣室（５）においてユーザの存在を検出するとき、前記セッションの作動を可能にし、前記更衣室（５）においてユーザの不在を検出するとき、前記セッションの非作動を可能にする前記ウェブカム（８，９）を備える特徴とする請求項１に記載の装置。
【請求項４】
前記サーバ（１）及び前記プロセッサ（４）は、営利会社に設置されるＬＡＮ（ローカルエリアネットワーク）に含まれることを特徴とする請求項１から３のいずれか一項に記載の装置。
【請求項５】
前記ＬＡＮ（１２）は、営利会社のオペレーターのモバイル電子装置（１３）へ前記サーバ（１）を接続するＷＬＡＮ（Ｗｉ−Ｆｉローカルエリアネットワーク）である請求項１から４のいずれか一項に記載の装置。
【請求項６】
前記ＬＡＮ（１２）は、対応する前記営利会社に設置される複数のＬＡＮ（１２，１２’，１２’’）とインターネットを介して接続するＷＡＮ（ワイドエリアネットワーク）に含まれる請求項４又は５に記載の装置。
【請求項７】
前記サーバ（１）は、営利会社のユーザのモバイル電子装置（１５）に実装されるモバイルアプリケーションとインターフェース接続するためのインターフェースプログラムを有することを特徴とする請求項１から６のいずれか一項に記載の装置。
【請求項８】
インターフェースプログラムは、少なくとも、前記ウェブカム（８，９）による自撮り写真を取得し、当該自撮り写真を営利会社の前記ユーザのモバイル電子装置（１５）へ送信するように構成されることを特徴とする請求項１から７のいずれか一項に記載の装置。
【請求項９】
前記サーバ（１）又は前記電子プロセッサ（４）は、取り込まれた前記画像上に動的背景を重畳するように構成される拡張現実ソフトウェアを有することを特徴とする請求項１から８のいずれか一項に記載の装置。
【請求項１０】
前記サーバ（１）又は前記電子プロセッサ（４）は、取り込まれた前記画像上に静的背景を重畳するように構成される拡張現実ソフトウェアを有することを特徴とする請求項１から９のいずれか一項に記載の装置。
【請求項１１】
前記サーバ（１）又は前記電子プロセッサ（４）は、取り込まれた前記画像の動的要素上に仮想的要素をフックするように構成される拡張現実ソフトウェアを有することを特徴とする請求項１から１０のいずれか一項に記載の装置。
【発明の詳細な説明】
【技術分野】
【０００１】
本発明は、物品販売提供するための装置に関する。
【０００２】
特に、本発明は、大規模店舗に関するアプリケーションの好ましいセクタに関する。
【背景技術】
【０００３】
一般的に、大規模店舗では、衣服が顧客の個人的な嗜好であるかを見るために、専ら、試着するときに衣服の視覚的な表示を顧客に提供する目的で、衣服を試着するために、ミラーが設けられた小規模な更衣室が設けられる。
【０００４】
顧客は、試着される最大所定数の衣服を更衣室へ運ばざるを得ず、サイズの交換だけのために、ユーザは更衣室を出ることに強いられ、再び入る前に再び列に並ぶという結果を伴う。
【０００５】
テストの結果は、更衣室の雰囲気、特に、光の状態及び／又は色／更衣室の壁の取付にネガティブに影響されうる。
【発明の概要】
【０００６】
したがって、本発明の技術的な目的は、販売される物品を利用するために顧客の能力を改善するように顧客と相互作用するために適合される物品の販売提供のための装置を実現することである。
【０００７】
この技術的な役割の範囲内で、本発明の課題は、顧客の購買する時間を最適化するように適合される物品販売提供するための装置を提供することである。
【０００８】
本発明の更なる目的は、変更するように適合される物品販売をする、特に、顧客向けに従来の購買体験を強化するための装置を提供することである。
【０００９】
本発明の更なる目的は、販売向けだけでなく、エンターテインメント向けにも適応される物品販売提供をするための装置を提供することである。
【００１０】
本発明に係る、技術的なタスクセットは、これら及び他の目的と共に、物品販売提供のための装置を実現することによって達成され、前記装置は、インターネットに接続されたサーバと、販売用に提供された物品向けのインターネットポータルと、前記サーバに接続され、かつ前記ポータルにおいて販売用に提供された物品のコードが格納され、前記ポータルにおいて販売用に提供された前記コードに対する前記ポータルのユーザの統計に少なくともアクセスするデータベースと、前記サーバに接続された電子プロセッサと、ユーザ配置領域を定める更衣室と、前記更衣室に設置され、前記プロセッサに接続されたモニタと、前記配置領域の逆フレーム視野を有し、前記プロセッサと接続される少なくとも２つのウェブカムと、前記更衣室に設置され、前記プロセッサに接続された物品コードのリーダーと、前記モニタ上に物品販売提供セッションを自動的に作動及び非作動する手段と、を備え、前記モニタは、前記更衣室に存在する前記ユーザから入力を受け付けるタッチスクリーンを有し、前記モニタは、更に、第１又は第２のウェブカムによって取り込まれた画像をリアルタイムで選択的に表示する少なくともミラーモードと、販売用に提供された物品の少なくともディスプレイモードとを提示することを特徴とする。
【００１１】
前記プロセッサは、更に有利には、物品販売提供セッション中に、前記リーダーにより物品コードの取得に従い前記タッチスクリーン上で前記ユーザによる入力を受け付けると、前記データベースは、リアルタイムで自動的に問い合わせ、前記データベースから、物品コードは、自動的に外挿され、前記統計において、取得した前記物品コードと同様の基準を有し、前記スクリーン上に、前記ディスプレイモードにおいて、外挿された物品コードに対応する物品は、販売提供向けに自動的に表示されるようにプログラムされる。本発明の更なる特徴及び利点は、添付の図面に示される、本発明に係る物品販売提供するためのシステム及び装置の好ましいが、非限定的な実施形態の以下の詳細な説明からより明確となるであろう。
【図面の簡単な説明】
【００１２】
【図１】図１は、その全体において物品販売のための装置の概略図である。
【図２】図２は、図１の装置の更衣室の概略図である。
【発明を実施するための形態】
【００１３】
物品販売提供するための装置は、インターネット１４に接続されたサーバ１と、販売用に提供された物品向けのインターネットポータル２と、サーバ１に接続され、かつポータル２において販売用に提供された物品のコードが格納され、インターネットポータル２において販売用に提供されたコードに対するポータル２のユーザの統計に少なくともアクセスするデータベース３と、サーバ１に接続された電子プロセッサ４と、ユーザ配置領域６を定める更衣室５と、更衣室５に設置され、プロセッサ４に接続されたモニタ７と、配置領域６の逆フレーム視野を有し、プロセッサ４と接続される少なくとも２つのウェブカム８，９と、更衣室５に設置され、プロセッサ４に接続された物品コードのリーダー１０と、モニタ７上に物品販売提供セッションを自動的に作動及び非作動する手段と、を備える。
【００１４】
モニタ７は、更衣室５に存在するユーザから入力を受け付けるタッチスクリーン１１を有する。
【００１５】
特に、タッチスクリーン１１を有するモニタ７、リーダー１０及び第１のウェブカム８は、更衣室５の同じ壁１６上に設置される一方で、第２のウェブカム９は、更衣室５の反対側の壁１７上に設置される。
【００１６】
リーダー１０は、例として、バーコードの形式での物品コードを読み取ることに適したスキャナ等のような光学リーダーであるうる。
【００１７】
モニタ７は、第１のウェブカム８又は第２のウェブカム９によって取り込まれた画像をリアルタイムで選択的に表示する少なくともミラーモードと、販売用に提供された物品の少なくともディスプレイモードとを含む。
【００１８】
プロセッサ４は、物品販売提供セッション中に、リーダー１０により物品コードの取得に従いタッチスクリーン１１上でユーザによる入力を受け付けると、データベース３は、リアルタイムで自動的に問い合わせ、データベース３から、物品コードは、自動的に外挿され、統計において、取得した物品コードと同様の基準を有し、スクリーン１１上に、ディスプレイモードにおいて、外挿された物品コードに対応する物品は、販売提供向けに自動的に表示されるようにプログラムされる。
【００１９】
物品販売提供をするためのセッションの自動的に作動及び非作動する手段は、好ましくは、更衣室５においてユーザの存在を検出するとき、セッションの作動を可能にし、更衣室５においてユーザの不在を検出するとき、セッションの非作動を可能にするウェブカム８，９を備える。
【００２０】
サーバ１及びプロセッサ４は、更衣室５が配置される営利会社に設置されるＬＡＮ（ローカルエリアネットワーク）１２に含まれる。
【００２１】
ＬＡＮ１２は、特に、営利会社のオペレーターのモバイル電子装置１３へサーバ１を接続するＷＬＡＮ（Ｗｉ−Ｆｉローカルエリアネットワーク）である。
【００２２】
ＬＡＮ１２は、次に、単一ビジネスに属する、対応する営利会社に設置される複数のＬＡＮ１２，１２’，１２’’とインターネットを介して接続するＷＡＮ（ワイドエリアネットワーク）に含まれる。
【００２３】
サーバ１は、有利には、営利会社のユーザのモバイル電子装置１５に実装されるモバイルアプリケーションとインターフェース接続するためのインターフェースプログラムを有する。
【００２４】
装置１の一部の機能は、インターネット接続を介してのみ取得可能である。
【００２５】
この目的のために、装置１は、インターネットへの特殊なＷｉ−Ｆｉアクセスにより営利会社の顧客を提供しうる。
【００２６】
インターフェースプログラムは、少なくとも、ウェブカム８，９による自撮り写真を取得し、当該自撮り写真を営利会社のユーザのモバイル電子装置１５へ送信するように構成される。
【００２７】
サーバ１又は電子プロセッサ４は、拡張現実ソフトウェアプログラムを更に有する。拡張現実ソフトウェアプログラムは、ウェブカム８，９によって取り込まれた画像上に、動的背景又は静的背景を重畳するように構成され、少なくとも、取り込まれた画像の動的要素に（例えば、以下に説明されるように、ユーザに）仮想要素を取り付けるように構成される。
【００２８】
以下では、装置１により実現されうる機能のいくつかは、より詳細に説明される。
【００２９】
販売セッションの開始及び終了
これらの機能を管理する好ましい手法は、記述されるように、更衣室５の使用のセッションを、それぞれ閉じる及び開始するためにウェブカム８，９の使用により、“更衣室が空”及び“更衣室の新たなユーザ”状況を検出し、その後管理することである。他のイニシアチブ又はインタラクションは、これらの状況に関連される。例えば、新たなユーザが、更衣室５に入るとき、ユーザは、モニタ７のタッチスクリーン１１上のメッセージで迎えられる、又はユーザが入ってからｘ秒間若しくはユーザがメッセージを明示的に閉じるときまで、販促用メッセージが表示されることができる。
【００３０】
他のユーザセッションの自動リセットモードは、例えば、その間にチェックアウト等の動作が完了されうる等の動画タイムアウトを用いることによって実施されうる。
【００３１】
仮想背景
仮想背景は、ユーザの体験を映像的に補強する。
【００３２】
仮想背景は、サーバ１又は電子プロセッサ４にロードされる。
【００３３】
仮想背景は、記述されるように、ユーザが、更衣室５にいる間に利用可能なものから選択されうる静的画像又は動画でありうる。
【００３４】
ユーザが更衣室５に入るとき、モニタ７は、実際の背景を有するミラーモードにある。ユーザの入室が検出されると、モニタ７のタッチスクリーン１１は、歓迎メッセージを表示し、更衣室７向けのコマンドも表示される。基本「反映」画像は、従って、仮想背景を表示しない。
【００３５】
モニタ７のタッチスクリーン１１上の特別な背景変更アイコンのタップにより、利用可能な仮想背景を示す“カバーフロー”ギャラリーが開かされる。ユーザは、その一つを選択するために、モニタ７のタッチスクリーン１１上で右又は左にスワイプすることができ、これは、実際の更衣室５に代えて、背景として示される。
【００３６】
この時点で、ユーザは、単に反映されるように選択することができる、又はそれに代えて、“自撮り”機能を用いて、ユーザの写真を撮ることができる。
【００３７】
自撮り写真が撮られると、ユーザは、別の衣服を試すことを決意することができるが、それが良いか評価するために、設定された背景は、取り払われる必要がある。タッチスクリーン１１上に示される特別なボタンをタップすることにより、背景は取り除かれ、モニタ７は、ミラーモードのままで、更衣室５の画像の投影を再度並べ替える。
【００３８】
仮想背景に加えて、その性質により、自撮り機能向けのベースとしても用いられうる。この場合には、静止画像のみがこの目的のために使用可能であろう。
【００３９】
更衣室からの購入
ユーザは、ユーザが所望の衣服を追加することができる仮想カートを生成することによって、更衣室から直接的にオンライン（チェックアウト）で購入を進めることができる。
【００４０】
ユーザは、１以上の衣服と共に更衣室５に入り、それらを試着する。
【００４１】
ユーザは、リーダー１０を用いて１以上の衣服のバーコードをスキャンし、販売用に提供された物品の表示モードを選択するためにモニタ７のタッチスクリーン１１上の適切なアイコンをタップする。
【００４２】
この時点で、サーバ１は、リアルタイムで、データベースに自動的に問い合わせ、そのデータベース３から、物品コードは、自動的に外挿され、統計において、リーダー１０によって取得された物品コードと同様の基準を有し、外挿された物品コードに対応する物品は、販売提供向けに、モニタ７のタッチスクリーン１１上に自動的に表示される。それにより他の物品コードが外挿される同様の分類は、例えば、リーダー１０によって取得される物品コードと共に、インターネットポータル２の他のユーザが、インターネットポータル２へ同一のアクセスセッションで頻繁に訪れる物品コードでありうる。
【００４３】
したがって、一連の相互に関連する物品は、ユーザが選択するために使用することができるモニタ７のタッチスクリーン１１上に持ち出される。
【００４４】
ユーザが物品の中からナビゲートすると、ユーザは、画像をタップすることにより、１つを選択し、それにより、更に詳細なページを開く。物品の詳細な特性と共に、現在の営利会社においてその利用可能性は、仮想カートへ物品を追加する可能性によりフラグ立てされる。
【００４５】
ユーザは、現在の営利会社で物質的に取得可能でなくても、全く同様に物品を購入することを決定することができ、サイズ及び色を選択し、最終的に、サイズ及び色が取得可能である場合、モニタ７のタッチスクリーン１１のアイコンをタップすることによって新たな仮想カートを生成する。
【００４６】
ユーザが買い物を続けることを望む場合、ユーザは、別の物品のバーコードをスキャンし、それをカートに追加するために同様の手順を繰り返す。
【００４７】
最終的に、ユーザは、モニタ７のタッチスクリーン１１上に現れるカートを閲覧することによってオンライン購入を進め、ここで、コード、例えばＱＲコード（登録商標）も表示され、これは、チェックアウトを完了するために、ユーザのスマートフォン１５にインストールされたアプリケーションによって読み取られると、ユーザのスマートフォン１５上のカートの移動を可能にする。
【００４８】
物品は、その後、チェックアウト中に選択されるモードに従ってユーザへ引き渡されるであろう。仮想カートへの物品の追加は、仮想的に試着される衣服から開始して行うこともできる。
【００４９】
ユーザは、ウィッシュリストの形式でユーザのスマートフォン１５にインストールされたアプリケーションに対して選択された物品を渡すこともできる。
【００５０】
この場合には、選択された物品は、購入のために仮想カートへ追加されない。
【００５１】
オンライン購入を進めること又はウィッシュリストを開始することに代えて、ユーザは、販売を扱う営利会社のオペレーターのモバイル電子装置１３上のアプリケーションへ直接的に、選択された物品を渡すことを決定することができ、選択された衣服が更衣室へ直接的に持ち出されることを要求することができる。例えば、販売員は、彼らのｉＰａｄ（登録商標）でプッシュ通知を受け付け、このことの確認がその間に更衣室で待つユーザのスマートフォン１５へ自動的に送信されることにより、通知の管理を引き受ける。
【００５２】
現在の営利会社において、顧客が選択した物品のサイズ又は色が存在しない場合、モニタ７のタッチスクリーン１１は、オンライン接続されたサーバ１によって問い合わせられた別の店舗の物品の最終的な利用可能性を自動的に提示することができる。
【００５３】
子供向け体験の充実
子供の場合のユーザの体験は、ウェブカム８，９を活用して子供の背丈を測定すること、及び電子プロセッサ４にインストールされた特別なアプリケーションによって充実されることができる。
【００５４】
検出は、統計的な目的を有し、匿名を維持することができる。
【００５５】
測定システムによって収集される情報は、提案されたサイズ及び物品の提案を提供するために用いられうる。
【００５６】
子供向けの別の用途は、例えば、モニタ７のタッチスクリーン１１上に反映されるユーザの画像に対する衣服等のような仮想的な物体を動的に適用することを含む。
【００５７】
ミラー構成においてモニタ７のタッチスクリーン１１上の特別なアイコンをタップすることによって、仮想物体のギャラリーは開き、再度モニタ７のタッチスクリーン１１のアイコンをタップすることによって、ユーザが「装着する」ことを望む仮想物体をそこから子供が選択することができる。
【００５８】
選択がなされると、モニタ７は、ミラーモードに戻り、仮想物体は、反映された画像に適用され、これは、更衣室の周囲の子供の動きに従う。
【００５９】
物品の仮想試用
ユーザは更衣室に入り、他の機能と共に、モニタ７のタッチスクリーン１１は、前景において、それらを物理的に付けずに、衣服を試着する機会を表示する。モニタ７のタッチスクリーン１１上の特別なアイコンをタップすることによって、ユーザは、ウィザードを開始し、モニタ７のタッチスクリーン１１上に、装着される衣服の画像のギャラリーの形式で利用可能な衣服のカタログを出現させる。
【００６０】
ユーザは、ユーザがユーザの好みの衣服を探すまでカタログを調べるためにスワイプし、モニタ７のタッチスクリーン１１上の特別なアイコンをタップすることによって、それを選択する。
【００６１】
ページはその後選択された衣服に専用に開き、これは、衣服に関する情報及び色の選択及び／又は材料の模様を含む。色及び／又は模様を選択すると、ユーザは、仮想試用を開始し、製品を表示するページは、画面の側部によって最小化され、ユーザの身体に適用される２Ｄの衣服と共にビデオカメラによって取り込まれた画像は、モニタ７のタッチスクリーン１１上に表示される。
【００６２】
ミラー上のユーザ自身を閲覧した後、ユーザは、色及び／又は模様を変更することを決定することができ、その後、ユーザは、再度、モニタ７のタッチスクリーン１１上の特別なアイコンをタップすることによって、製品ページを開き、変更に入り、仮想試用を新たに開始する。
【００６３】
この時点で、ユーザは、友人と画像をシェアすることを決定することができ、モニタ７のタッチスクリーン１１上の特別なアイコンをタップすることによって、自撮りする。
【００６４】
進める前に、ユーザは、正確なサイズを識別するように実際に衣服を試着することができる。ユーザは、生成されたページから、サイズに対するガイドを調べることができ、それ故に、ユーザの正しいサイズを選択することができる。モニタ７のタッチスクリーン１１上の特別なアイコンをタップすることによって、ユーザは、更衣室において要求された衣服を有するように営利会社の販売担当者の、例えば、ｉＰａｄのようなポータブル電子装置上のアプリケーションに対して要求を送信することができる。
【００６５】
本明細書で想起される部品販売提供のための装置は、発明概念の全ての範囲内に入る多数の変更及び変形を受け入れることが可能であり、更に、全ての詳細は、技術的に等価な要素と置き換え可能である。
【図１】
2019530989.tif 000003
【図２】
2019530989.tif 000004
【国際調査報告】
2019530989.tif 000005
2019530989.tif 000006